(57)【要約】【課題】客室と機械室に分けられた建屋の製作コストの低下、貯蔵された玄米をそのまま購入した場合の玄米への石の混入を防ぐこと。【解決手段】玄米投入口に投入された玄米を取り込みコンベヤ、石抜機、昇降機、精米機を経て白米タンクに排出する精米処理部と、玄米を貯蔵タンクに送り込むと共に貯蔵タンクから玄米を精米処理部に排出する貯蔵処理部を備え、客室内の操作盤の操作で、貯蔵タンクに貯えられた玄米を精米してから又は精米せずに白米タンクに排出し、或いは玄米投入口に投入された玄米を精米してから白米タンクに排出する米販売機能付きコイン精米機において、精米処理部と貯蔵処理部を同一建屋の機械室に配置し、石抜機から昇降機に通じる管路と貯蔵処理部の貯蔵タンク側に通じる管路を石抜機出口に分岐して設けると共に、流路切換装置をその分岐箇所に設ける。【選択図】      図１
2004181424.tif 000002
【特許請求の範囲】
【請求項１】
玄米投入口（７）に投入された玄米を取り込みコンベヤ（１３）、石抜機（１５）、昇降機（１７）及び精米機（１８）を経て白米タンク（８）に排出する精米処理部（１０）と、玄米を貯蔵タンク（５８）に送り込むと共に貯蔵タンクから玄米を精米処理部（１０）に排出する貯蔵処理部（１１）とを備え、機械室（３）とは仕切られた客室（２）内の操作盤（９）の操作によって、貯蔵タンク（５８）に貯えられた玄米を精米してから又は精米せずに白米タンク（８）に排出し、或いは玄米投入口（７）に投入された玄米を精米してから白米タンク（８）に排出する米販売機能付きコイン精米機において、
精米処理部（１０）と貯蔵処理部（１１）を一つの建屋（１）内の機械室（３）に配置し、石抜機（１５）から昇降機（１７）に通じる管路（Ｋ５）と貯蔵処理部（１１）の貯蔵タンク側に通じる管路（Ｋ６）を石抜機（１５）の出口に分岐して設けると共に、玄米供給方向を切り換える流路切換装置（１６）をその分岐箇所に設けてあることを特徴とする米販売機能付きコイン精米機。
【請求項２】
貯蔵処理部（１１）の貯蔵タンク側から玄米を送る管路（Ｋ１０）を精米処理部（１０）の昇降機（１７）の受入口（３０）側に接続してあることを特徴とする請求項１記載の米販売機能付きコイン精米機。
【発明の詳細な説明】
【０００１】
【発明の属する技術分野】
本発明は、客が持参した玄米を精米して払い出す機能と、貯留してある玄米を客が購入して玄米のまま払い出す機能と、貯留してある玄米を客が購入し且つ精米して払い出す機能を有するコイン精米機に関する。
【０００２】
【従来の技術】
上述したコイン精米機の従来例としては、精米処理部の側方に貯蔵庫を併設したものがある。その貯蔵庫には玄米貯蔵用のタンクと、張り込みホッパ、昇降機等が設けてあって、管理者が張り込みホッパに玄米を投入してタンクに玄米を貯蔵する。また、客が貯蔵庫の玄米を購入して精米処理する場合は、貯蔵庫内の玄米を、精米処理部の供給ホッパに送り込んで、精米処理部内の石抜機等を経て精米処理される（例えば、特許文献１参照。）。
【０００３】
【特許文献１】
特開２０００−２４５２８号公報（第４頁から７頁、第１図から第３図）
【０００４】
【発明が解決しようとする課題】
しかし、精米処理部と貯蔵庫を別々に建てると、製作コストが高くなるし、建屋の設置面積が広くなることから設置場所が限定される。張り込みホッパを精米処理部の供給ホッパとは別途、設置してあることも、製作コストが高くなる一因である。
【０００５】
さらに、貯蔵庫の玄米をそのまま購入するコースを客が選択した場合は、貯蔵庫内の玄米を精米処理部の供給ホッパに送り込んで、供給ホッパ内の袋に玄米を貯めるが、貯蔵庫には石抜機が内蔵されていないので、玄米には石が混入することになる。
【０００６】
また、貯蔵庫の玄米を購入して精米処理するコースを客が選択した場合は、貯蔵庫内の玄米を精米処理部の供給ホッパに送り込んで、精米処理部での処理を始めから一通り行うことから、精米処理時間が長くなり、その結果、客の待ち時間が長くなる。
【０００７】
そこで本発明のうち請求項１の発明は、建屋の製作コストの低下及び建屋の設置面積の狭小化、並びに貯蔵庫の玄米をそのまま購入した場合の玄米への石の混入を防ぐことを解決課題とした。
【０００８】
また、請求項２の発明は、貯蔵庫の玄米を購入して精米処理する場合の精米処理時間を短縮することを解決課題とした。
【０００９】
【課題を解決するための手段】
請求項１記載の発明は、玄米投入口に投入された玄米を取り込みコンベヤ、石抜機、昇降機及び精米機を経て白米タンクに排出する精米処理部と、玄米を貯蔵タンクに送り込むと共に貯蔵タンクから玄米を精米処理部に排出する貯蔵処理部とを備え、機械室とは仕切られた客室内の操作盤の操作によって、貯蔵タンクに貯えられた玄米を精米してから又は精米せずに白米タンクに排出し、或いは玄米投入口に投入された玄米を精米してから白米タンクに排出する米販売機能付きコイン精米機において、精米処理部と貯蔵処理部を一つの建屋内の機械室に配置し、石抜機から昇降機に通じる管路と貯蔵処理部の貯蔵タンク側に通じる管路を石抜機の出口に分岐して設けると共に、玄米供給方向を切り換える流路切換装置をその分岐箇所に設けてあることを特徴とする。
【００１０】
流路切換装置は、貯蔵タンクに玄米を貯える場合には操作盤からの操作によって、貯蔵タンク側に通じる管路を開き、石抜機から昇降機に通じる管路を閉じる。一方、客が持参した玄米を精米処理する場合には操作盤からの操作によって、貯蔵タンク側に通じる管路を閉じ、石抜機から昇降機に通じる管路を開く。
【００１１】
貯蔵処理部の貯蔵タンク側から玄米を送る管路は、玄米投入口に接続しても良いが、石抜機等は玄米を貯蔵する段階で既に通過しているので、精米処理時間が長くなる。従って、精米処理時間を短くするには請求項２記載の発明のように、貯蔵処理部の貯蔵タンク側から玄米を送る管路を精米処理部の昇降機の受入口側に接続することが望ましい。
【００１２】
貯蔵タンクから玄米を精米処理部の昇降機の受入口側に送り込むと、次に精米機に送られるが、操作盤での操作で大量に玄米を購入した場合は、精米機で受け入れ可能な玄米の量を超えることも想定される。このような場合には、精米機に送る玄米量を調整できるようにすることが望ましい。それには、昇降機の受入口に中継ホッパーを連通して設けると共に、中継ホッパーに玄米流下量制御装置を設け、精米機のホッパーにはオーバーフローセンサを設け、玄米流下量制御装置は、オーバーフローセンサが玄米を検知して満杯信号を発したときには玄米供給を停止し、オーバーフローセンサが玄米を検知しない非満杯信号を発したときには玄米供給を行うようにすれば良い。
【００１３】
【発明の実施の形態】
米販売機能付きコイン精米機は図１及び図３に示すように、建屋１内に設置されるもので、客室２と機械室３と糠室４を前後方向に壁５，６で仕切ってある。客室２には、玄米投入口（玄米投入ホッパー）７と白米タンク８、操作盤９を有する。機械室３には精米処理部１０と貯蔵処理部１１を併設すると共に、精米処理部１０の一部を貯蔵処理部１１の一部に兼用し、糠室４には集糠用サイクロン１２を配置してある。なお、各室には出入口（符号省略）を設けてある。
【００１４】
精米処理部１０は、客が持参した玄米を精米処理する部分で、玄米投入ホッパー７から投入された玄米を、取り込みコンベヤ１３、一番の昇降機１４、石抜機１５、流路切換装置１６、二番の昇降機１７、精米機１８を順番に通し、白米を白米タンク８に排出する。また、精米機１８で発生する糠を集糠用サイクロン１２に回収する。
【００１５】
玄米投入ホッパー７は、その底部に玄米取り込みコンベヤ１３を横向きに配置してある。玄米取り込みコンベヤ１３は、玄米投入ホッパー７に接続したケース１９内でスクリュー軸２０を回転させるものである。ケース１９は、上流側が断面Ｕ字状で下流側が筒状に形成してあり、上流側から取り込んだ玄米を、スクリュー軸２０の回転で下流側に送り、高低差によって管路Ｋ１を経て一番の昇降機１４の下部の受入口に流し込む。
【００１６】
一番の昇降機１４は、玄米を引き上げるバケットコンベヤで、上下のプーリ２１，２１に掛け渡したベルト２２に、玄米を汲み取る多数のバケット２３を間隔をあけて取り付けてある。玄米を汲み取ったバケット２３は、上昇から下降に転ずる際に上側のプーリ２１に沿って回転することによって、玄米を石抜機１５に通じる管路Ｋ２側に放り投げる。
【００１７】
石抜機１５は図２に示すように、その上部にホッパー２４を有し、ホッパー２４の下側には、高さ方向に傾斜した選別板２５が揺動可能に支持され、選別板２５の下方にはファン２６が配置してある。選別板２５は全面に亘って多数の孔（図示省略）を有する。選別板２５が傾斜された状態で揺動しながら、選別板２５の下から上に向かってファン２６からの風が吹き抜けると、石くずと玄米との比重差によって石くずが沈み、選別板２５の揺動によってその石くずが選別板２５の上方に集まり、選別板２５の上方に有する石抜ゲート２７を開くと、石くずが落下し、流路切換装置２８、管路Ｋ３を経て回収箱２９に回収される。そして、石くず落下後に流路切換装置２８を切り換えると、石くずが取り除かれた選別板２５に残った少量の玄米（残留玄米）が、管路Ｋ４を経て二番の昇降機１７の受入口３０に送られる。一方、風によって玄米は選別板２５上で僅かに浮き上がって、後から供給された玄米に押され選別板２５の傾斜に沿って下流に送られて落下する。落下した玄米は出口３１から排出されるが、出口３１には石抜機１５から二番の昇降機１７に通じる管路Ｋ５と貯蔵処理部１１の三番の昇降機３２に通じる管路Ｋ６を分岐して設けると共に、玄米供給方向を切り換える流路切換装置１６をその分岐箇所に設けてあるので、流路切換装置１６の切換状態に応じて玄米は二番の昇降機１７か三番の昇降機３２に送られる。流路切換装置１６，２８は、揺動可能なシャッターをモータやソレノイド等で駆動し、二つの管路のうち一方を開放し、他方を閉鎖するものである。
【００１８】
二番の昇降機１７は図１又は図２に示すように一番の昇降機１４とほぼ同じ構造となっており、石抜機１５から送られた玄米は、二番の昇降機１７の受入口３０に取り込まれ、二番の昇降機１７で引き上げられ、管路Ｋ７を経て精米機１８のホッパー３３に送られる。また、貯蔵処理部１１から送られる玄米を取り込む中継ホッパーＨが受入口３０の上部には連通して設けてある。なお、中継ホッパーＨの付近の構造は、貯蔵処理部１１を説明する際に詳述する。
【００１９】
精米機１８は図４に示すように、上部にホッパー３３を有し、ホッパー３３の下に搗精室３４を接続してある。搗精室３４には搗精ロール３５と除糠アミ３６を内装しており、玄米は搗精室３４内を回転する搗精ロール３５で送られるうちに、搗精室３４の出口３９を抵抗板４０が加圧しながら塞いである状態では、玄米同士の摩擦と除糠アミ３６の網目に擦られることで白米と糠が分離する。搗精室３４の下方には糠回収ダクト３７の先部を接続し、糠回収ダクト３７の途中の部屋には除糠ファン３８（図１参照）が内蔵されており、モータで除糠ファン３８を回し、除糠ファン３８の吸引作用によって糠は除糠アミ３６の網目を通過し、糠回収ダクト３７の末端に接続した集糠用サイクロン１２に回収される。一方、残った白米は、搗精室３４の出口３９に向かうが、抵抗板４０がバネ４１の弾性力を利用して出口３９を塞いであり、搗精ロール３５によって送り込まれた白米が抵抗板４０を弾性力に逆らって押し込んで出口３９を開き、出口３９を通過した白米がケース排出口４２、流路切換装置４３を経て白米タンク８に排出される。流路切換装置４３は、白米タンク８に通じる方を開放する状態に切り換えてあるが、精米の開始段階や終了直前段階では精米が不十分になるので、二番の昇降機１７の受入口３０に通じる管路Ｋ８を開く状態に切り換えて、玄米を循環させるために用いる。なお、ホッパー３３の下部には精米センサ４５を設けて、精米センサ４５が玄米を検出した場合には、搗精ロール３５を回転させて精米し、検出しない場合は搗精ロール３５の回転を停止する。また、ホッパー３３の上部にはオーバーフローセンサ４６を設けて、オーバーフローセンサ４６が玄米を検出した場合には操作盤９内の制御装置で取り込みコンベヤ１３の駆動を停止し、オーバーフローセンサ４６が玄米を検出しない場合には、取り込みコンベヤ１３の回転を継続する。
【００２０】
上述した抵抗板４０の開閉構造をさらに詳細に説明する。精白度の調整及び玄米を排出するために、搗精室３４の出口３９の近傍にアーム４７をその中央部を支点として揺動可能に支持し、アーム４７の一端部を押圧手段４８で押圧・解除可能に設け、アーム４７の他端部に備わる抵抗板４０がその押圧及び解除を利用して出口３９を開閉可能に設けてある。
【００２１】
押圧手段４８は、バネ４１の圧縮度合いを変更して出口を開閉するもので、搗精室３４の外側に抵抗モータ４４を配し、抵抗モータ４４にネジ軸４９を直結し、ネジ軸４９にナット５０とアーム４７の一端部を間隔をあけてねじ込み、ネジ軸４９に通したバネ４１をナット５０とアーム４７の一端部との間に介在し、ナット５０をその周方向に回転不能に保持することによって、ネジ軸４９の正転又は逆転に伴ってナット５０を前進・後退可能に設けてある。従って、バネ４１の圧縮度合いの変更は、操作盤９の操作信号に基づいて抵抗モータ４４を回転し、ネジ軸４９の回転に伴ってナット５０を前進・後退することによって行われる。その制御の為に、ネジ軸４９の端部に凸部５１を設けると共に、凸部検出センサ５２をその周囲に設け、そのセンサ５２から得られる情報に基づいて抵抗モータ４４の回転回数を制御する。また、バネ４１の圧縮度合いの最小、最大を決定する為に、ナット５０に被検出物５３を突出し、リミットスイッチからなる前進限スイッチ５４、後退限スイッチ５５を前後に対向して被検出物５３の移動範囲を規制してある。バネ４１の圧縮度合いが最小の場合は、バネ４１が全く伸縮しておらずナット５０が後退限の位置にあり、バネ４１の押圧力が解除されて抵抗板４０を開いて、抵抗板４０と出口３９との間に隙間を形成し、隙間から玄米をそのまま排出する。そして、この後退限の位置を原点として、ナット５０を前進させることによって、バネ４１の圧縮度合い、ひいては抵抗板４０が出口を塞ぐ方向にかかる押圧力を増大し、その押圧力に応じて精白度合いが決定する。
【００２２】
貯蔵処理部１１は図１又は図２に示すように、管理者が投入した玄米を貯え、客がその玄米を購入した場合に玄米を精米処理部１０の二番の昇降機１７側に排出する部分で、玄米投入口７から投入された玄米を、取り込みコンベヤ１３、一番の昇降機１４、石抜機１５、流路切換装置１６、三番の昇降機３２、流路切換装置５６、横送りコンベヤ５７、貯蔵タンク５８の順に送り込んで貯留し、客が玄米を購入した場合には玄米を貯蔵タンク５８から計量機５９、三番の昇降機３２、流路切換装置５６を順番に経て、精米処理部１０の二番の昇降機１７側に送り込む。送り込まれた玄米は、客が玄米そのものの購入を希望する場合は、精米機１８で精米せずに白米タンク８に排出し、客が玄米を購入し且つ精米を希望する場合は、精米機１８で精米処理して白米タンク８に排出する。
【００２３】
三番の昇降機３２は、一番の昇降機１４とほぼ同じ構造である。異なる点は、下部に受入口６０を二つ設けて、一方を石抜機１５から送られた玄米を取り込むものとし、他方を計量機５９から払い出された玄米を取り込むものとした点、上部の出口に流路切換装置５６を設け、横送りコンベヤ５７に通じる管路Ｋ９と二番の昇降機１７側に通じる管路Ｋ１０のいずれか一方への玄米の供給を、流路切換装置５６で決定する点である。
【００２４】
横送りコンベア５７は、横向きケース６１内でスクリュー軸６２を回転可能に設け、ケース６１の長手方向の中央部分に投入口６３を有し、ケース６１の左右に落下口６４をそれぞれ設け、モータでスクリュー軸６２を正転させた場合には、一方の貯蔵タンク５８に玄米を落下させ、モータを逆転させた場合には、他方の貯蔵タンク５８に玄米を落下させる。
【００２５】
貯蔵タンク５８は、銘柄別に二つ設けてある。各貯蔵タンク５８の下部は、出口に向かって口径が狭まっており、玄米の残量を検出する残量センサ６５が取り付けてある。残量センサ６５の取付位置は、玄米の残量が少なくなった場合でも、一回の購入操作で販売できる最大量を確保できる位置とする。貯蔵タンク５８の出口には、開度の異なる大小の計量シャッター（符号省略）を設けてあり、両計量シャッターの開閉によって、計量機５９に所望量の玄米を供給する。
【００２６】
計量機５９は、計量ホッパー６６の下にロードセル６７を設け、ロードセル６７から操作盤９内の制御装置にリアルタイムで重量信号を出力し、所望の重量になるように前記大・小シャッターを開閉操作する。また、計量ホッパー６６の出口に払い出しシャッター６８を設け、玄米の計量中には払い出しシャッター６８を閉じ、計量終了後には開いて計量ホッパー６６から玄米を三番の昇降機３２に投入する。昇降機３２で引き上げられた玄米は流路切換装置５６で二番の昇降機１７に通じる管路Ｋ１０に排出される。
【００２７】
二番の昇降機１７の受入口３０の上部には、貯蔵処理部１１の末端となる中継ホッパーＨが連通して設けてある。中継ホッパーＨの出口には流下量制御装置としてのロータリーバルブ６９を有し、精米機のホッパー３３に付けたオーバーフローセンサ４６が満杯信号を出力した場合に、ロータリーバルブ６９が閉まって、玄米の供給を阻止する。なお、ロータリーバルブ６９は、バルブ羽根をモータで回転させて玄米を供給し、バルブ羽根を停止して玄米供給を停止するものである。
【００２８】
操作盤９は図３に示すように、隣接してある玄米投入口７と白米タンク８の左右に、持込用操作盤７０と販売用操作盤７１を別々に分けて配置してある。
【００２９】
持込用操作盤７０は図５、図７又は図８に示すように、前面に操作パネル７２を、裏面には管理者パネル７３をそれぞれ有し、内部にはマイクロコンピュータからなる制御装置（図示省略）を有し、操作パネル７２や管理者パネル７３の操作に基づいて制御装置が操作パネル７２や精米処理部１０、或いは貯蔵処理部１１等に制御信号を出力する。
【００３０】
操作パネル７２は図５に示すように、営業中表示灯７４、故障中表示灯７５及び料金表示灯（１００円硬貨投入枚数）７６を上側に配置してある。営業中表示灯７４が点灯している場合は、コイン投入口７７に１００円硬貨を投入し、玄米を玄米投入口７に入れ、所望の白度ボタン７８を押す。すると、精米中表示灯７９が点灯し、精米処理部１０では取り込みコンベヤ１３、一番の昇降機１４、石抜機１５、二番の昇降機１７が駆動する。また、石抜機出口の流路切換装置１６が二番の昇降機１７に通じる管路Ｋ５側を開いた状態に保持し、精米機１８は白度ボタン７８に対応してバネ４１の弾性力が変更し、抵抗板４０の閉鎖具合を決定すると共に、精米機出口の流路切換装置４３は、二番の昇降機１７に向かう管路Ｋ８を開く状態を保持する。玄米が精米機ホッパー３３に向かい、精米センサ４５が玄米を検出したことを受けて、制御装置はタイマーカウントＴ１，Ｔ２を開始し、Ｔ１終了後、搗精ロール３５及び除糠ファン３８を駆動する。それに伴って精米処理が始まるが、精米初期の玄米は二番の昇降機１７に戻る。タイマーカウントＴ２終了後、精米機出口の流路切換装置４３が白米タンク８側に切り換わり、白米が白米タンク８に排出される。精米機ホッパー３３のオーバーフローセンサ４６が満杯信号を出力した場合には、取り込みコンベヤ１３の駆動を停止し、オーバーフローセンサ４６が非満杯信号を出力した場合には、取り込みコンベヤ１３の駆動を再開する。また、取り込みコンベヤ１３は投入料金分だけ回転するので、投入料金よりも多い玄米を玄米投入口７に入れた場合は、玄米投入口７に玄米が残る。玄米投入口７に付けた玄米センサ（図示省略）がそれを検出して、料金不足表示灯８０を点灯させる。
【００３１】
管理者パネル７３は、ヒンジ等で開閉可能に支持された持込用操作盤７０を開いて操作するもので、図８に示すように精白度の設定等を行うスイッチの他に、貯蔵運転用のスイッチが付いている。従って、管理者が玄米を貯蔵タンク５８に補給するには、貯蔵運転のスイッチ８１を入れ、タンク切換スイッチ８２で所望の貯蔵タンク５８を選択すると、取り込みコンベヤ１３、一番の昇降機１４、石抜機１５、三番の昇降機３２、横送りコンベヤ５７が駆動し、石抜機出口の流路切換装置１６が三番の昇降機３２に向かう管路Ｋ６を開放状態に保持し、三番の昇降機出口の流路切換装置５６が横送りコンベヤ５７に通じる管路Ｋ９を開放状態に保持する。そして、玄米投入口７に玄米を投入すると、石抜きされた玄米が所望の貯蔵タンク５８に送り込まれる。貯蔵終了後、石抜機１５の石抜ゲート２７のスイッチ８３を開く方向にすると、選別板２５上の石くずおよび残留玄米が回収箱２９に回収される。最後に、石抜ゲートのスイッチ８３を閉じる方向にして、貯蔵運転スイッチ８１を切る。
【００３２】
販売用操作盤７１も内部に制御装置を有すると共に前面に操作パネル８４を有し、図６に示すようにその上部にはＡ玄米、Ｂ玄米の二つの玄米選択スイッチ８５を、営業中表示灯８６の左右に分けて配置し、各玄米選択スイッチ８５の下には、売切れ表示灯８７を有する。操作パネル８４の営業中表示灯８６が点灯している場合には、所望の玄米選択スイッチ８５を押し、紙幣識別機（ビルバリ）８８に千円札を入れると、料金表示灯（紙幣枚数表示灯）８９が料金を表示し、精米するときには所望の精白度スイッチ９０を押し、精米せずに玄米を購入するときには玄米スイッチ９１を押す。
【００３３】
精白度スイッチ９０を押した場合には、計量中表示灯９２が点灯し、紙幣の投入枚数に応じた玄米の販売量（重量）データを計量機５９に送り、二番と三番の昇降機１７，３２が駆動し、三番の昇降機出口の流路切換装置４３が二番の昇降機１７に通じる管路Ｋ１０を開く。また、ロータリーバルブ６９が駆動して、精白度スイッチ９０に応じた弾性力で精米機の抵抗板４０が出口３９を塞ぐ。そして、選択されたいずれかの貯蔵タンク５８の計量シャッターが開いて、玄米が計量機５９に投入され、紙幣の投入枚数に応じた販売量に達したときにはその到達信号を受けて計量シャッターを閉じると共に、計量中表示灯９２を消灯し、精米中表示灯９３が点灯する。続いて、計量機の払い出しシャッター６８が開いて、玄米が三番の昇降機３２からロータリーバルブ６９を経て二番の昇降機１７に送られ、精米機で精米され白米タンク８に排出される。精米処理中に精米機ホッパー３３のオーバーフローセンサ４６が満杯信号を出力した場合には、ロータリーバルブ６９を停止して（閉じて）玄米の供給を停止し、非満杯信号を出力した場合にはロータリーバルブ６９を再度駆動して玄米を供給する。計量機５９の計量値が０ｋｇになったときには、その信号を受けて計量機５９の払い出しシャッター６８が閉じる。
【００３４】
一方、玄米スイッチ９１を客が押した場合には、精白度スイッチ９０を押した場合と同様に制御されるが、異なる制御として、抵抗板４０は出口３９を開いた状態に保持すると共に、除糠ファン３８の駆動を停止状態に保持し、精米機排出口の流路切換装置４３は白米タンク８に通じる側を開放状態に保持し、玄米がそのまま白米タンク８に排出される。
【００３５】
本発明は上記実施形態に限定されるものではない。たとえば、第二昇降機１７の出口に流路切換装置を設けて、流路切換装置から精米機に通じる管路と、白米タンクに直に通じる管路を分岐して形成しておくこともできる。また、流下量制御装置６９としては、ロータリーバルブでなく、シャッターを開閉するものであっても良い。
【００３６】
【発明の効果】
本発明は、精米処理部と貯蔵処理部を一つの建屋内に配置したので、建屋の製作コストの低下及び建屋の設置面積の狭小化が達成される。また、精米処理部の一部を、貯蔵処理部の一部として兼用したので、製作コストの低下が図られると共に、貯蔵用の玄米を補給する作業も玄米投入口から行え、補給作業が容易になる。さらに、貯蔵タンクに玄米を貯蔵する際には精米処理部の石抜機を必ず通過することから、操作盤の操作で玄米を客が購入した場合には、石の混入してない玄米を販売できる。
【００３７】
貯蔵タンク側から玄米を送る管路を昇降機の受入口側に接続してあるので、貯蔵タンク内の玄米を客が操作盤の操作で購入する場合には貯蔵タンクから昇降機に玄米が向かうことになり、従来のように玄米投入口に向かうものに比べれば、精米処理時間が短縮し、客の待ち時間が短くなる。
【図面の簡単な説明】
【図１】コイン精米機の全体構造を示す正面図である。
【図２】コイン精米機の一部構造を拡大して示す正面図である。
【図３】コイン精米機の全体のレイアウトを示す平面図である。
【図４】精米機の詳細構造を示す断面図である。
【図５】持込用操作盤の操作パネルを示す正面図である。
【図６】販売用操作盤の操作パネルを示す正面図である。
【図７】操作盤への入出力関係を示す説明図である。
【図８】管理者パネルを示す正面図である。
【符号の説明】
１  建屋
２  客室
３  機械室
７  玄米投入口（玄米投入ホッパー）
８  白米タンク
９  操作盤
１０  精米処理部
１１  貯蔵処理部
１３  取り込みコンベヤ
１５  石抜機
１６  流路切換装置
１７  昇降機
１８  精米機
３０  受入口
５８  貯蔵タンク
Ｋ１〜Ｋ１０  管路
【図１】
2004181424.tif 000003
【図２】
2004181424.tif 000004
【図３】
2004181424.tif 000005
【図４】
2004181424.tif 000006
【図５】
2004181424.tif 000007
【図６】
2004181424.tif 000008
【図７】
2004181424.tif 000009
【図８】
2004181424.tif 000010